(57)【要約】【課題】      ランスの部品点数を低減してハウジングの厚み寸法を小さくし、ハウジングへのランスの組立工程を簡素化させ、メス端子に対するランスの解除作業を治具などを用いずに容易に行うことが可能なコネクタを提供することを課題とする。【解決手段】  前面に、メス端子の接合部が挿入された端子挿入口が複数列及び複数行に亘って配設されたハウジングと、端子挿入口内でのメス端子の抜け止め防止用として、先端が上下方向に幅広となる突出部を有するランスとを有し、メス端子にはランスの突出部が嵌挿される嵌挿穴が設けられているコネクタであって、ランスは、その突出部の上部が上列の前記メス端子の嵌挿穴に嵌挿され、突出部の下部が下列のメス端子の嵌挿穴に嵌挿されていることを特徴とする。【選択図】    図８
2005135759.tif 000002
【特許請求の範囲】
【請求項１】
一方端部にオス端子を周囲から囲むように接合する接合部を設け、中途部に配線端子を圧着した圧着部を設け、更に他方端部に前記圧着部に圧着された配線端子から延出される配線を支持する支持部を設けた複数個のメス端子と、
前面に、当該メス端子の接合部が挿入された端子挿入口が複数列及び複数行に亘って配設されたハウジングと、
前記端子挿入口内での前記メス端子の抜け止め防止用として、先端が上下方向に幅広となる突出部を有するランスとを有し、
前記メス端子には前記ランスの突出部が嵌挿される嵌挿穴が設けられているコネクタであって、
前記ランスは、その突出部の上部が上列の前記メス端子の嵌挿穴に嵌挿され、前記突出部の下部が下列の前記メス端子の嵌挿穴に嵌挿されていることを特徴とするコネクタ。
【請求項２】
前記ランスの突出部は、中央部を基点として上部及び下部に分岐し前方へ延出する分岐形状となっていることを特徴とする請求項１に記載のコネクタ。
【請求項３】
前記ハウジングの左右側面に亘って貫通する貫通穴に挿入され、当該貫通穴に挿入された状態で一側縁が前記ランスの突出部における上部及び下部の間に挟み込まれるリテーナを備えていることを特徴とする請求項２に記載のコネクタ。
【請求項４】
前記ランスは、その左右側縁が前記ハウジングの左右両側面に達する幅寸法を有する板状体の形態をなすことを特徴とする請求項２に記載のコネクタ。
【請求項５】
前記ハウジングの少なくとも一方側面には、前記ランスの一側縁が突出していることを特徴とする請求項４に記載のコネクタ。
【請求項６】
前記ハウジングの左右側面の少なくとも一方には、突出した前記ランスの側縁を囲む凹部が形成されていることを特徴とする請求項４に記載のコネクタ。
【請求項７】
前記リテーナの先端には、前記ランスの凹部を塞ぐ蓋部が形成されていることを特徴とする請求項５に記載のコネクタ。
【請求項８】
前記ハウジングの左右側面には前記凹部が形成されており、前記ハウジングの左右側面の各々から前記蓋部が形成された前記リテーナが挿入されていることを特徴とする請求項７に記載のコネクタ。
【発明の詳細な説明】
【技術分野】
【０００１】
本発明は、配線を圧着した複数個のメス端子を複数列及び複数行に配設したハウジングを有するコネクタに関し、特に、各メス端子がハウジングから抜け出ることを防止し得るランス及びリテーナを有するコネクタに関する。
【背景技術】
【０００２】
従来、この種のコネクタの一例として、特許文献１に示すように、ハウジングに形成された端子挿入口にはメス端子が収容されるとともに、メス端子間に電子部品が露出状態で接続されたコネクタにおいて、ハウジングには電子部品を覆うカバーが取付可能とされ、このカバーにメス端子に抜け止め状態で係止するリテーナが形成されている構造が提案されている。
【０００３】
このコネクタでは、電子部品を覆うべくカバーを取り付けると、カバーに形成されたリテーナにより併せてメス端子が抜け止めされ、リテーナをカバーと一体に形成することにより、部品点数並びに組み付け工程が削減でき、もって製造コストの低減を図ることができる。
【０００４】
しかし、リテーナをカバーと一体に形成する構造によれば、コネクタ全体としての厚み寸法が増加するので、コネクタを搭載する電子機器が益々小型化される現状下においてはあまり好ましくない。
【０００５】
一般に、コネクタはハウジングの複数行及び複数列に亘って設けられた端子挿入口内に各々メス端子を挿入し、当該メス端子が端子挿入口から抜け出ないように、ランスを各々のメス端子に係止させつつハウジング内に挿入し、更にリテーナをハウジングの前面側より上行及び下行に分けて各行のメス端子を係止させつつ挿入するという構造を有する。
【特許文献１】特開２００３−２２８６５号公報
【発明の開示】
【発明が解決しようとする課題】
【０００６】
このような構造を有するコネクタにおいては、メス端子を抜け止め状態で係止可能なランスを各端子挿入口の各々に必要としており、部品点数が非常に多くなるとともに、端子挿入口が複数行に亘って形成されているハウジングにおいては厚み寸法が大きくなりやすい。
【０００７】
また、リテーナは、長手方向に延出された上下一対に分かれてなる前面壁と、前面壁の左右両側縁から後方へ延出する一対の側片とを備えて全体として門形状の形態をなすという非常に複雑な構造をなしており、製作コストも非常に高くなる。加えて、このリテーナは各側片がハウジングに対して前方から横幅方向に跨ぐようにして取付け可能となっており、取付け完了時には前面壁が端子挿入口前部の下半分の開放部分を覆うようになっており、ハウジングの縦幅寸法も非常に大型化することになる。
【０００８】
更に、ランスの解除作業には治具が必要であり、ハウジングに形成された治具挿入口に、前後方向に細長く形成された解除部を挿入することにより、その先端をランスに突き当ててランスを撓み変形させることで、メス端子への係止を解除させるといった非常に面倒な解除作業が必要となるとともに、上記治具の管理などが面倒である。上記ハウジングに治具挿入口を設けることにより構造が複雑化し、ハウジングの厚み寸法も増大することになる。
【０００９】
本発明は、ランス及びリテーナの構造を簡素化するとともに、ランスの部品点数を低減することによりハウジングの厚み寸法を小さくし、ハウジングへのランスの組立工程を簡素化させ、メス端子に対するランスの解除作業を治具などを用いずに容易に行うことが可能なコネクタを提供することを課題とする。
【課題を解決するための手段】
【００１０】
上記課題を解決するために、本発明のコネクタは、一方端部にオス端子を周囲から囲むように接合する接合部を設け、中途部に配線端子を圧着した圧着部を設け、更に他方端部に前記圧着部に圧着された配線端子から延出される配線を支持する支持部を設けた複数個のメス端子と、前面に、当該メス端子の接合部が挿入された端子挿入口が複数列及び複数行に亘って配設されたハウジングと、前記端子挿入口内での前記メス端子の抜け止め防止用として、先端が上下方向に幅広となる突出部を有するランスとを有し、前記メス端子には前記ランスの突出部が嵌挿される嵌挿穴が設けられているコネクタであって、前記ランスは、その突出部の上部が上列の前記メス端子の嵌挿穴に嵌挿され、前記突出部の下部が下列の前記メス端子の嵌挿穴に嵌挿されていることを特徴とする。
【００１１】
このコネクタによれば、ランスの先端が上下方向に幅広となる突出部を有しており、この突出部がランスの上行及び下行に位置する各メス端子の嵌挿穴に嵌挿されて、メス端子がハウジングから抜け出ることを防止させる構造となっているので、上行及び下行のメス端子に対して一つのランスを兼用させることにより、ランスの部品点数を低減させることが可能となる。また、一つのランスを兼用させることにより、従来のように各メス端子に対して各々ランスを設ける構造に比べて、ハウジングの厚みを薄型化させることが可能となる。
【００１２】
また、本発明のコネクタは、上記構成を有するコネクタにおいて、前記ランスの突出部は、中央部を基点として上部及び下部に分岐し前方へ延出する分岐形状となっていることを特徴とする。
【００１３】
このコネクタによれば、ランスの突出部が中央部を基点として上部及び下部に分岐し、前方へ延出する分岐形状となっているので、ランスの突出部の上下方向への弾性力が増加することになり、メス端子が端子挿入口から抜け出ようとする際に、メス端子の嵌挿穴に嵌挿されたランスの突出部がメス端子の移動に伴い嵌挿穴の位置移動に追従するように弾性変形しやすく、当該嵌挿穴から離脱することを低減し得る。
【００１４】
更に、本発明のコネクタは、前記ハウジングの左右側面に亘って貫通する貫通穴に挿入され、当該貫通穴に挿入された状態で一側縁が前記ランスの突出部における上部及び下部の間に挟み込まれるリテーナを備えていることを特徴とする。
【００１５】
このコネクタによれば、ハウジングの貫通穴に挿入されるリテーナがランスの上部及び下部の間における中央部に嵌り込むように位置するので、ランスの上部及び下部が閉じる方向へ弾性変形しない構成となるので、メス端子の嵌挿穴へのランスの嵌挿が外れにくくなり、ハウジング内のメス端子の抜けをより確実に防止させることが可能となる。
【００１６】
加えて、本発明のコネクタは、上記構成を有するコネクタにおいて、前記ランスは、その左右側縁が前記ハウジングの左右両側面に達する幅寸法を有する板状体の形態をなすことを特徴とする。
【００１７】
このコネクタによれば、ランスがハウジングの左右側面に達する幅寸法を有する板状体の形態をなしているので、一つのランスで上行及び下行のメス端子すべてに対して抜け止め防止用として兼用させ、ランスの部品点数をより低減させることが可能となる。
【００１８】
また、本発明のコネクタは、前記ハウジングの少なくとも一方側面には、前記ランスの一側縁が突出していることを特徴とする。
【００１９】
このコネクタによれば、ランスの一側縁がハウジングの少なくとも一方側面に突出しているので、ハウジングから突出しているランスの突出部における上部及び下部を、例えば、使用者が手で閉じる方向に押圧変形させることにより、各メス端子の嵌挿穴に対するランスの嵌挿を一挙に解除させることが可能となるので、ハウジング内のメス端子の抜き差し作業が非常に容易となる。
【００２０】
更に、本発明のコネクタは、前記ハウジングの左右側面の少なくとも一方には、突出した前記ランスの側縁を囲む凹部が形成されていることを特徴とする。
【００２１】
このコネクタによれば、ハウジングの側面から突出したランスの一側縁がハウジングの凹部に囲まれた状態となっているので、何らかの外力によって当該ランスの一側縁を押圧させメス端子の嵌挿穴への嵌挿が誤って解除されてしまうという不具合を低減させることが可能となる。
【００２２】
加えて、本発明のコネクタは、前記リテーナの先端には、前記ランスの凹部を塞ぐ蓋部が形成されていることを特徴とする。
【００２３】
このコネクタによれば、リテーナの先端にはランスの凹部を閉じる蓋部が形成されているので、ハウジングから突出したランスの側縁が蓋部によって覆われ、外力が付加されにくい構造となっており、メス端子の嵌挿穴への嵌挿の誤った解除という不具合をより低減させることが可能となる。
【００２４】
また、本発明のコネクタは、上記構成を有するコネクタにおいて、前記ハウジングの左右側面には前記凹部が形成されており、前記ハウジングの左右側面の各々から前記蓋部が形成された前記リテーナが挿入されていることを特徴とする。
【００２５】
このコネクタによれば、先端に蓋部が形成されているリテーナが、ハウジングの左右側面に形成された各凹部を閉じるので、メス端子の嵌挿穴への嵌挿の誤った解除という不具合をより低減させることが可能となる。
【発明の効果】
【００２６】
本発明のコネクタによれば、ランスの先端における突出部がランスの上行及び下行に位置する各メス端子の嵌挿穴に嵌挿されて、メス端子がハウジングから抜け出ることを防止させる構造となっているので、上行及び下行のメス端子に対して一つのランスを兼用させることにより、ランスの部品点数を低減させることが可能になるとともに、ハウジングの厚み寸法を薄型化させることが可能となる。
【発明を実施するための最良の形態】
【００２７】
以下、本発明を実施するための最良の形態を示すことにより、本発明の特徴とするところをより詳細に説明する。
【００２８】
図１は本実施形態のコネクタを示す概略斜視図である。また、図２は本実施形態のコネクタを示す正面図である。コネクタ１は、ＡＢＳ樹脂からなる横長のほぼ直方体の形態をなすハウジング２を有している。このハウジング２の前面には後述するオス端子を接合させるためのメス端子（図示せず）が配設された端子挿入口３が２行及び２２列という複数行及び複数列に亘って複数形成されている。また、ハウジング２の右側面には、端子挿入口３内のメス端子の抜け止め防止用としてのランス４の一側縁が突出しており、この突出したランス４の側縁を囲むように所定の深さ寸法を有するほぼ長方形状の凹部５が形成されている。なお、ハウジング２の上面の中央部分、上下面における左右両側縁部及び後面の左右両側縁部には、コネクタ１を取り付けるための図示しない基板に対する固定手段としての突状部６ａ，６ｂ，６ｃが形成されている。
【００２９】
図３は本実施形態のメス端子７及びオス端子８を示す概略斜視図である。メス端子７はその一方端部にオス端子８を周囲から囲むように接合するための接合部としてのメス接合部９が設けられ、中途部に配線端子１０が圧着された圧着部１１が設けられ、更に他方端部に圧着部１１において圧着された配線端子１０より延出される配線Ｈを支持する支持部１２が設けられている。メス接合部９は長手方向に沿って所定長さ寸法に亘って形成された左右壁面及び底面を有する断面視Ｕ字形状の形態をなしている。
【００３０】
オス端子８はその先端が二股に分岐したオス接合部１３を有しており、メス接合部９における左右内壁面の間に圧入されることによりメス端子７との接合をなしている。また、メス端子７のメス接合部９の長さ方向におけるほぼ中央部分には後述するランスを嵌挿させるための嵌挿穴Ｋが形成されている。嵌挿穴Ｋは底面から左右両壁面の所定の高さ寸法に至るまで連続的に形成されている。なお、オス端子８はオス接合部１３から中途部に向かって直線状に延出し当該中途部において下方へ屈曲し更にこの屈曲部分から下方へ直線状に延出するピン形状（細線板形状）の形態をなす。
【００３１】
図４は本実施形態のハウジング２の図１におけるＡ−Ａ視断面図である。ハウジング２には、先述したように端子挿入口３が上下方向に２行に亘って形成されている。端子挿入口３は、前面から奥方向へ所定寸法の位置に形成された段差部３ａを境に左右が断面積の異なる形状となっており、前面側の挿入口３ｂに比べて後面側の挿入口３ｃの垂直方向（図中におけるＳ方向）の断面積が大きくなるように形成されている。挿入口３ｂには、前面縁部に（ここでは図示しない）オス端子８の挿入を案内するために前面に向かって幅広となるテーパ部１４が形成されている。また、挿入口３ｃは、後面から奥行き方向へ所定寸法の位置に、後面に向かって幅広となるテーパ部１５を有しており、（ここでは図示しない）メス端子７のメス接合部９、圧着部１１及び支持部１２の挿入を案内する構造となっている。
【００３２】
また、ハウジング２の厚み方向及び短手方向のほぼ中央部分であって、上行の端子挿入口３の下端部及び下行の端子挿入口３の上端部を通る部分に、ハウジング２の左右両側面に達する貫通する貫通穴１６が形成されている。貫通穴１６は、メス端子９の嵌挿穴Ｋに嵌挿させて端子挿入口３からのメス端子７の抜け防止用としてのランス４を挿入させるためのランス用穴部１６ａと、上記ランス４の先端と当接させてランス４によるメス端子７の抜け防止をより確実にするための後述するリテーナを挿入させるためのリテーナ用穴部１６ｂとを有する。ランス用穴部１６ａは、ランス４の先端を挿入させるために、ハウジング２の後面に向かって上下方向へ幅狭となるテーパ状に形成されている一方、ランス４の先端から後端に向かう直線状部を挿入させるために、ハウジング２の後面に達する幅狭のほぼ直線状に形成されている。また、ランス用穴部１６ａは、ハウジング２の左右両側面に達するまで形成されている。リテーナ用穴部１６ｂは、ランス用穴部１６ａの幅寸法よりも小さい幅寸法を有し、ランス用穴部１６ａの上下方向のほぼ中央部からハウジング２の前面へ所定寸法だけ延びるように形成されている。
【００３３】
図５は本実施形態のランス４を示す概略斜視図である。ランス４は、先述したようにハウジング２における端子挿入口３内のメス端子７の抜け止め防止用として用いられ、先端が上下方向に幅広となる突出部１８を有する。ランス４の突出部１８は、中央部１８ａを基点として上部１８ｂ及び下部１８ｃに分岐し前方へ延出する分岐形状となっている。また、ランス４は、分岐形状部分から後端に向かって直線状に延び、ハウジング２の左右両側面に達する横幅寸法を有する板状体の形態をなしている。
【００３４】
図６は本実施形態のハウジング２の図１におけるＡ−Ａ視断面図であり、ハウジング２の端子挿入口３にメス端子７及びランス４が挿入された状態を示す図である。この図に示すように、端子挿入口３に挿入されたメス端子７の嵌挿穴Ｋには、ランス４の突出部１８が嵌挿される。ランス４の突出部１８の上部は、上行のメス端子７の嵌挿穴Ｋに嵌挿され、突出部１８の下部が下行のメス端子７の嵌挿穴Ｋに嵌挿されている。このように、上行及び下行のメス端子７に対して一つのランス４を兼用させることにより、ランス４の部品点数を低減させることが可能となり、従来のように各メス端子７に対して各々ランスを設ける構造に比べて、ハウジング２の厚み寸法を小さくして薄型化することが可能となる。
【００３５】
また、ランス４の突出部１８が中央部１８ａを基点として上部１８ｂ及び下部１８ｃに分岐し前方へ延出する分岐形状となっているので、ハウジング２の端子挿入口３に挿入されたメス端子７の嵌挿穴Ｋにランス４の突出部１８の上部１８ａ及び下部１８ｂが確実に嵌挿されており、配線Ｈなどに何らかの外力が付加されてメス端子７のメス接合部９がハウジング２の後面へと移動して端子挿入口３から抜け出ようとしてもこれを阻止する。従って、各端子挿入口３へメス端子７を挿入した後に、ランス４をその突出部１８がメス端子７の嵌挿穴Ｋに嵌挿されるようにハウジング２の貫通穴１６に挿入するという非常に簡単な作業のみで組み立てが可能となるので、組立工程が非常に簡素化する。なお、上行及び下行のメス端子７は、メス接合部９の底面が互いに背中合わせとなるように端子挿入口３へ各々挿入されている。
【００３６】
図７は本実施形態のハウジング２の図１におけるＡ−Ａ視断面図であり、ハウジング２の貫通穴１６にリテーナ１９が挿入された状態を示す図である。また、図８は本実施形態のハウジング２の図１におけるＡ−Ａ視断面を示す概略斜視図である。リテーナ１９はハウジング２の左右両側面に達する貫通穴１６に挿入され、一側縁がランス４の突出部１８における上部１８ｂと下部１８ｃとの間に挟み込まれるとともに、一側縁が突出部１８の中央部１８ａに当接した状態となっている。
【００３７】
このようにリテーナ１９の一側縁がランス４の突出部１８における中央部１８ａに当接するまで上部１８ｂと下部１８ｃとの間に挟み込まれているので、上部１８ｂと下部１８ｃとが閉じる方向へ弾性変形しない構造となるので、メス端子７の嵌挿穴Ｋへのランス４の嵌挿が外れにくくなり、ハウジング２内のメス端子７の抜けをより確実に防止することが可能となっている。
【００３８】
図９は本実施形態のリテーナを示す概略斜視図である。この図に示すように、リテーナ１９の先端には先に示したランス４の凹部５を閉じるための蓋部２０が形成されている。このような構成により、ハウジング２の凹部５内に突出したランス４の側縁が蓋部２０によって覆われ凹部５が閉じられるので、当該突出したランス４の側縁に対して、例えば取付作業時などに外力が付加されにくい構造となり、ランス４の突出部１８が当該外力の付加によりメス端子７の嵌挿穴Ｋへの嵌挿が誤って解除されるという不具合をより低減させることが可能となる。なお、リテーナ１９の挿入端には、ハウジング２の貫通穴１６への挿入を容易化するための案内手段としてのテーパ部１９ａが左右両側縁に形成されている。
【００３９】
図１０は本実施形態のハウジングの一側面を示す概略側面図であり、突出したランス４を示す図である。また、図１１は本実施形態のハウジングの一側面を示す概略側面図であり、凹部５をリテーナ１９の蓋部２０で閉じた状態を示す図である。先述したように、ハウジング２の側面に形成された凹部５にはランス４の一側縁が突出しており、先端に蓋部２０が形成されたリテーナ１９をハウジングの凹部５内に形成された貫通穴１６へ挿入して当該凹部５を閉じることにより、ハウジング２から突出したランス４の側縁が蓋部２０によって覆われ、凹部５に囲まれたランス４は更に外力が付加されにくい構造となり、メス端子７の嵌挿穴Ｋへの嵌挿の誤った解除という不具合をより低減させることが可能となる。
【００４０】
次に、本実施形態のコネクタ１の組立手順について、ここでは図を用いずに簡単に説明する。まず、リテーナ１９をハウジング２の一側面から貫通穴１６のリテーナ用穴部１６ｂに挿入させる。次いで、メス端子７を、ハウジング２の後面から上行の端子挿入口３へ挿入する。この場合、メス端子７をメス接合部９の底面が下側となるように端子挿入口３へ挿入する。同様にして、メス端子７をメス接合部９の底面が上側となるように下行の端子挿入口３へ挿入する。このようにして、メス端子７をハウジング２の各端子挿入口３へ順次挿入させる。更に、ランス４をコネクタ１のハウジング２の一側面から貫通穴１６のランス用穴部１６ａに横方向へ長手方向に沿って挿入させる。このとき、ランス４の左右両側縁がハウジング２の凹部５に覆われる程度に突出させた状態までハウジング２への挿入が行われる。一方、メス端子７が端子挿入口３の段差部３ａに確実に当接するまで挿入されていない場合には、ランス４の突出部１８の上部１８ｂ及び下部１８ｃが嵌挿穴Ｋを通過せず、メス端子７の側面に当たって貫通穴１６のランス穴部１６ａへの挿入が遮られてしまうので、メス端子７の端子挿入口３への挿入不具合として、メス端子７が端子挿入口３へ正常に挿入されるように調整する。ランス４が上述した所定の位置までハウジング２内へ挿入されると、先にハウジング２内に挿入されたリテーナ１９の一側縁にランス４の突出部１８の中央部１８ａが嵌り込むようにハウジング２の前面側へ押圧する。このようにして、図７及び図８に示すような構成となるように組立が行われる。このような構成とすることにより、ランス４の突出部１８の上部１８ｂ及び下部１８ｃは、これらの間に挟み込まれたリテーナ１９によって弾性変形しにくく、各々上列及び下列のメス端子７の嵌挿穴Ｋへ非常に外れにくい状態で嵌挿されることになり、メス端子７が端子挿入口３から抜け出るなどの不具合が低減されることになる。なお、コネクタの組立順順序は、上記組立順序に限定されるものでなく、まず、ランス４をハウジング２内に挿入し、次いで、ハウジング２の各端子挿入口３へメス端子７を挿入した後に、リテーナ１９をハウジング２の貫通穴１６に挿入させるといった組立順序とすることも可能である。
【００４１】
更に、本実施形態のコネクタにおいて、ハウジング２の一側面から突出するランス４の側縁を用いたハウジング２の端子挿入口３内のメス端子７の差し込み解除について説明する。まず、ハウジング２の貫通穴１６のリテーナ穴部１６ｂに挿入され、且つランス４の突出部１８の上部１８ｂ及び下部１８ｃ間に挟み込まれたリテーナ１９をハウジング２から抜き出す。これにより、リテーナ１９の蓋部２０により閉じられた凹部５が開放される。次いで、凹部５に囲まれたランス４の一側縁を作業者が指で掴むなどしてハウジング２から抜き出する。これにより、各メス端子７は嵌挿穴Ｋに対するランス４の突出部１８の嵌挿が解除されることになるので、ハウジング２の後面から延出されている配線を作業者が指で掴むなどして当該ハウジング２からメス端子７を容易に抜き出すことが可能となる。
【００４２】
ハウジング２に形成されたランス用穴部の形状が突出部１８の上部１８ｂ及び下部１８ｃの間における領域についても貫通している場合には、凹部５に囲まれたランス４の一側縁において突出部１８の上部１８ｂ及び下部１８ｃを、作業者が指で互いが近づく方向に弾性変形させ、これにともない上記上部１８ｂ及び下部１８ｃを各端子挿入口３内においてメス端子７の嵌挿穴Ｋへの嵌挿を解除させることが可能となり、当該解除作業を非常に容易化させることが可能となる。
【００４３】
図１２は別の実施形態のリテーナを示す概略斜視図である。本実施形態では、ハウジング２に対して一つのリテーナ１９を用い、このリテーナ１９をハウジング２の一側面の貫通穴１６から挿入して突出端の蓋部２０でハウジング２の凹部５を塞いでいるが、図１２に示すように、一つのハウジングに対して、突出端に蓋部２１を形成したリテーナ２２を二つ用い、ハウジングの左右両側面からこれらリテーナ２２を挿入する構成とすることも可能である。この場合、ハウジングの左右両側面には突出したランスの側縁を囲む凹部が各々形成されており、左右の凹部を各々リテーナ２２の蓋部２１が塞ぐ。このような構成とすることにより、突出端に蓋部２１が形成されているリテーナ２２が、ハウジング２の左右側面の各凹部を閉じるので、ランスの側縁に何らかの外力が付加されることが減少し、メス端子の嵌挿穴への嵌挿の誤った解除という不具合を更に低減させることが可能となる。
【００４４】
図１３は別の実施形態のランスを示す概略斜視図である。本実施形態では、ランスの先端が上下方向に幅広となる突出部１８を有し、この突出部１８が中央部１８ａを基点として上部１８ｂ及び下部１８ｃに分岐し前方へ延出する分岐形状となっているが、これに限定されるものでなく、上行及び下行に配置されたメス端子の嵌挿穴の各々に嵌挿される突出部２３が上下端縁において長手方向に沿って形成されている幅広形状であるランス２４を用いることも可能である。この場合、ハウジングに挿入されたランス２４に対してメス端子をハウジングの後面から端子挿入口へ挿入される際に、メス端子がランス２４の突出部２３に押圧され弾性変形し、更に突出部２３が嵌挿穴に位置したときに弾性変形が元の形状に復帰して当該嵌挿穴に嵌挿されることになる。このような突出部２３を有するランス２４においては、突出部２３の構造が非常にシンプルであり製作するための加工が非常に容易であり、製造コストが安価となる。
【産業上の利用可能性】
【００４５】
本発明に係るコネクタは、ランスの部品点数を低減させてハウジングの厚みを薄型化させることが可能であるので、基板上に他の多くの電子部品が搭載された中で搭載面積に制約が加えられている、例えば、自動車用ＥＣＵ（Ｅｌｅｃｔｒｏ−Ｃｏｎｔｒｏｌ−Ｕｎｉｔ）などに実装されるものとして有用である。
【図面の簡単な説明】
【００４６】
【図１】本実施形態のコネクタを示す概略斜視図である。
【図２】本実施形態のコネクタを示す正面図である。
【図３】本実施形態のメス端子及びオス端子を示す概略斜視図である。
【図４】本実施形態のハウジングの図１におけるＡ−Ａ視断面図である。
【図５】本実施形態のランスを示す概略斜視図である。
【図６】本実施形態のハウジングの図１におけるＡ−Ａ視断面図であり、ハウジングの端子挿入口にメス端子及びランスが挿入された状態を示す図である。
【図７】本実施形態のハウジングの図１におけるＡ−Ａ視断面図であり、ハウジングの貫通穴にリテーナが挿入された状態を示す図である。
【図８】本実施形態のハウジングの図１におけるＡ−Ａ視断面を示す概略斜視図である。
【図９】本実施形態のリテーナを示す概略斜視図である。
【図１０】本実施形態のハウジングの一側面を示す概略側面図であり、突出したランスを示す図である。
【図１１】本実施形態のハウジングの一側面を示す概略側面図であり、凹部をリテーナの蓋部で覆った状態を示す図である。
【図１２】別の実施形態のリテーナを示す概略斜視図である。
【図１３】別の実施形態のランスを示す概略斜視図である。
【符号の説明】
【００４７】
１  コネクタ
２  ハウジング
３  端子挿入口
４，２４  ランス
５  凹部
７  メス端子
９  メス接合部
１０  配線端子
１１  圧着部
１６  貫通穴
１６ａ  ランス用穴部
１６ｂ  リテーナ用穴部
１８，２３  突出部
１９，２２  リテーナ
２０，２１  蓋部
Ｋ  嵌挿穴
Ｈ  配線
【図１】
2005135759.tif 000003
【図２】
2005135759.tif 000004
【図３】
2005135759.tif 000005
【図４】
2005135759.tif 000006
【図５】
2005135759.tif 000007
【図６】
2005135759.tif 000008
【図７】
2005135759.tif 000009
【図８】
2005135759.tif 000010
【図９】
2005135759.tif 000011
【図１０】
2005135759.tif 000012
【図１１】
2005135759.tif 000013
【図１２】
2005135759.tif 000014
【図１３】
2005135759.tif 000015